(57)【要約】【課題】開閉扉を開放する操作、すなわち単純な操作によりランプを取り外すことができる内視鏡用光源装置およびそのランプ取り外し機構を得る。【解決手段】開閉扉３３が筐体に回動自在に設けられ、開口部を開閉する。水平回動板３５は開閉扉３３から略垂直方向に延び、その上面３５ｂに突起３５ｃが立設される。カム板９１は水平回動板３５と平行に設けられ、開口部の反対側に一対の爪８１、８１を有する。突起３５ｃが、開閉扉３３の開放動作に応じて回動することにより、一対の爪８１、８１が前進してランプの背面を押し、ランプが開口部側へ押し出される。【選択図】図６
2015196051.tif 000002
【特許請求の範囲】
【請求項１】
光源装置の筐体における開口部の近傍に配置されるランプを前記筐体から押し出すためのランプ取り外し機構であって、
前記筐体に回動自在に設けられ、前記開口部を開閉する開閉扉と、
前記開閉扉から略垂直方向に延び、突起が立設された水平回動板と、
前記水平回動板と平行に設けられ、前記開口部の反対側に爪が形成されたカム板とを備え、
前記突起が、前記開閉扉の開放動作に応じて前記開閉扉と一体的に回動することにより、前記爪が前進して前記ランプの背面を押し、前記ランプが前記開口部側へ押し出されることを特徴とする内視鏡用光源装置のランプ取り外し機構。
【請求項２】
前記カム板が、前記開口部の面に平行に延びる第１溝部を有し、
前記爪が、前記ランプが押し出される方向に沿って変位し、
前記開閉扉が所定の角度より大きな角度で開閉するとき、前記突起が前記第１溝部に沿って移動することを特徴とする請求項１に記載の内視鏡用光源装置のランプ取り外し機構。
【請求項３】
前記カム板が、前記第１溝部における前記開閉扉の回転軸側の端部に連結する第２溝部をさらに有し、前記第２溝部が前記回転軸を中心とした円弧状に延び、前記開閉扉が前記所定の角度以下の角度で開閉するとき、前記突起が前記第２溝部に沿って移動することを特徴とする請求項２に記載の内視鏡用光源装置のランプ取り外し機構。
【請求項４】
前記所定の角度がほぼ９０°であることを特徴とする請求項２または請求項３に記載の内視鏡用光源装置のランプ取り外し機構。
【請求項５】
前記開閉扉が閉じる動作に応じて、前記爪が後退することを特徴とする請求項１に記載の内視鏡用光源装置のランプ取り外し機構。
【請求項６】
前記ランプが配置される位置の後方に設けられる端子部材をさらに備え、
前記開閉扉が閉じられることにより、前記ランプが後退して前記端子部材に電気的に接続されることを特徴とする請求項１から請求項５のいずれかに記載の内視鏡用光源装置のランプ取り外し機構。
【請求項７】
前記水平回動板が、前記開閉扉における上下方向に離間した２つの位置から略垂直方向に延び、第１および第２の突起がそれぞれ立設された第１および第２の水平回動板であり、
前記カム板が、前記第１および第２の水平回動板と平行に設けられ、前記開口部の反対側に第１および第２の爪をそれぞれ有する第１および第２のカム板であり、
前記第１および第２の突起が、前記開閉扉の開放動作に応じて前記開閉扉と一体的に回動することにより、前記第１および第２の爪が前進して前記ランプの背面を押し、前記ランプが前記開口部側へ押し出されることを特徴とする請求項１に記載の内視鏡用光源装置のランプ取り外し機構。
【請求項８】
前記光源装置の内部において、前記光源装置の筐体における開口部の近傍に配置されるランプと、
前記筐体に回動自在に設けられ、前記開口部を開閉するための開閉扉と、
前記開閉扉から略垂直方向に延び、突起が立設された水平回動板と、
前記水平回動板と平行に設けられ、前記開口部の反対側に爪が形成されたカム板とを備え、
前記突起が、前記開閉扉の開放動作に応じて前記開閉扉と一体的に回動することにより、前記爪が前進して前記ランプの背面を押し、前記ランプが前記開口部側へ押し出されることを特徴とする内視鏡用光源装置。
【発明の詳細な説明】
【技術分野】
【０００１】
本発明は、ランプの取り外しにおける作業性を向上させるための、内視鏡用光源装置のランプ取り外し機構に関する。
【背景技術】
【０００２】
内視鏡用光源装置に用いられるランプは、寿命があるため交換する必要がある。例えば、特許文献１に記載されている光源装置では、ランプ交換の際、作業者は開口部の蓋を取り外した後、ランプを取り外す。蓋を取り外す際ランプが脱落するのを防止するために、ランプの上方および下方に、ランプの外側面を押さえることができる一対のばね部材が設けられる。作業者はばね部材による押さえを外した後ランプを取り外す。
【先行技術文献】
【特許文献】
【０００３】
【特許文献１】特開２０１０−２４６６４６号公報
【発明の概要】
【発明が解決しようとする課題】
【０００４】
しかしながら、特許文献１の光源装置では、ランプを取り外すために、蓋の取り外しとばね部材による押さえを外すこと、という２種類の操作が必要となるため、ランプの取り外しが面倒である。
【０００５】
一方、電流供給用の端子からランプを取り外すために必要な力は比較的大きく、また作業者がランプを把持できる部分は限られる。したがって、何の補助機構もない光源装置の場合、作業者がランプを取り外すことが困難なことがある。このようなときは、ランプをその背面から押すためのクランク機構が設けられる。クランク機構に連結する取り外しレバーを作業者が操作することにより、ランプが端子から取り外される。したがって、この場合、レバー操作という操作が１種類増えるため、合計で３種類の操作が必要となり、ランプの取り外しがさらに面倒な作業となる。
【０００６】
本発明は、開閉扉を開放する操作、すなわち単純な操作によりランプを取り外すことができる内視鏡用光源装置およびそのランプ取り外し機構を提供することを目的としている。
【課題を解決するための手段】
【０００７】
本発明に係る内視鏡用光源装置のランプ取り外し機構は、光源装置の筐体における開口部の近傍に配置されるランプを筐体から押し出すためのランプ取り外し機構であって、筐体に回動自在に設けられ、開口部を開閉する開閉扉と、開閉扉から略垂直方向に延び、突起が立設された水平回動板と、水平回動板と平行に設けられ、開口部の反対側に爪が形成されたカム板とを備え、突起が、開閉扉の開放動作に応じて開閉扉と一体的に回動することにより、爪が前進してランプの背面を押し、ランプが開口部側へ押し出されることを特徴としている。
【０００８】
好ましくは、カム板が、開口部の面に平行に延びる第１溝部を有し、爪が、ランプが押し出される方向に沿って変位し、開閉扉が所定の角度より大きな角度で開閉するとき、突起が第１溝部に沿って移動する。また、好ましくは、カム板が、第１溝部における開閉扉の回転軸側の端部に連結する第２溝部をさらに有し、第２溝部が回転軸を中心とした円弧状に延び、開閉扉が所定の角度以下の角度で開閉するとき、突起が第２溝部に沿って移動する。また、好ましくは、所定の角度がほぼ９０°である。また、好ましくは、開閉扉が閉じる動作に応じて、爪が後退する。
【０００９】
また、好ましくは、ランプが配置される位置の後方に設けられる端子部材をさらに備え、開閉扉が閉じられることにより、ランプが後退して端子部材に電気的に接続される。また、好ましくは、水平回動板が、開閉扉における上下方向に離間した２つの位置から略垂直方向に延び、第１および第２の突起がそれぞれ立設された第１および第２の水平回動板であり、カム板が、第１および第２の水平回動板と平行に設けられ、開口部の反対側に第１および第２の爪をそれぞれ有する第１および第２のカム板であり、第１および第２の突起が、開閉扉の開放動作に応じて開閉扉と一体的に回動することにより、第１および第２の爪が前進してランプの背面を押し、ランプが開口部側へ押し出される。
【００１０】
また、本発明に係る内視鏡用光源装置は、光源装置の内部において、光源装置の筐体における開口部の近傍に配置されるランプと、筐体に回動自在に設けられ、開口部を開閉するための開閉扉と、開閉扉から略垂直方向に延び、突起が立設された水平回動板と、水平回動板と平行に設けられ、開口部の反対側に爪が形成されたカム板とを備え、突起が、開閉扉の開放動作に応じて開閉扉と一体的に回動することにより、爪が前進してランプの背面を押し、ランプが開口部側へ押し出されることを特徴としている。
【発明の効果】
【００１１】
本発明によれば、開閉扉を開放する操作、すなわち単純な操作によりランプを取り外すことができる内視鏡用光源装置およびそのランプ取り外し機構を得ることができる。
【図面の簡単な説明】
【００１２】
【図１】本発明の第１の実施形態に係る内視鏡用光源装置の概略図である。
【図２】開閉扉とランプとの位置関係を示す斜視図である。
【図３】開閉扉が９０°開いた状態を示す斜視図である。
【図４】開閉扉が１１０°開いた状態を示す斜視図である。
【図５】開閉扉が９０°開いた状態における開閉扉とカム板の位置関係を示す斜視図である。
【図６】開閉扉が１１０°開いた状態における開閉扉とカム板の位置関係を示す斜視図である。
【図７】図３からランプを取り除き、爪の周辺を拡大した斜視図である。
【図８】図４からランプを取り除き、爪の周辺を拡大した斜視図である。
【図９】本発明の第２の実施形態におけるランプ取り外し機構の主要部分を示す図である。
【発明を実施するための形態】
【００１３】
以下、図面を参照して本発明の第１の実施形態である内視鏡用光源装置のランプ取り外し機構の構成を説明する。まず光源装置の概要について説明する。図１に示されるように、光源装置１の筐体１０は、略直方体形状を呈し、その正面には、スコープに設けられる照明用光ガイドケーブル（図示せず）を接続するためのコネクタ２１が設けられる。また、コネクタ２１の上方にスコープを着脱するためのレバー２３が設けられる。正面に向かってレバー２３の右方には、各種操作を行うための操作パネル２５が設けられる。正面に向かって筐体１０の左側面１０ａには、開口部３１が形成される。開口部３１は筐体１０に回動自在に設けられた開閉扉３３により開閉される。
【００１４】
筐体１０の底面４１には支持板４３が固定され、支持板４３には端子部材４５が設けられる。端子部材４５にはランプ４７が着脱自在に取り付けられる。すなわち、端子部材４５はランプ４７が配置される位置の後方に設けられる。ランプ４７は開口部３１の近傍に配置され、コネクタ２１に接続された照明用光ガイドケーブルに光を供給する。開閉扉３３からは水平回動板３５が略垂直方向に延び、筐体１０の中において支持板４３の下側に位置する。また開閉扉３３はその端部にヒンジ３７が設けられ、その反対側につまみねじ３９が螺合される。なお、本明細書において、前方とは、筐体１０の左側面１０ａの表面が向く方向を意味し、後方とは、その反対方向を意味する。
【００１５】
図２に示されるように、端子部材４５の端部に近接した位置に、端子部材４５と略直交するように軸流ファン５１が設けられ、支持板４３の上に固定される。ランプ４７は支持板４３に載置され、開閉扉３３が閉じた状態で端子部材４５に電気的に接続される。ランプ本体（図示せず）は例えばハロゲンランプまたはキセノンランプであり、高温になり易いため、軸流ファン５１によって冷却される。ランプ４７は、ランプ本体を冷却するためのヒートシンク５３を有し、ランプ４７とヒートシンク５３は断熱性樹脂カバー５５によって覆われる。
【００１６】
ランプ４７を交換する際、作業者はつまみねじ３９を回して開閉扉３３の螺合を解放し、開閉扉３３を開放する。図３に示されるように、開閉扉３３を所定の角度、ここではほぼ９０°だけ開放した状態では、ランプ４７はまだ端子部材４５に取り付けられており、動作時（開閉扉３３は閉塞している）と同じ位置にある。なお、本文において記す角度はいずれも、閉塞状態にある開閉扉３３を０°としたときの開度を意味する。また本文記載の開度は必ずしも記載の値そのものである必要はなく、製造誤差等による多少のずれがあってもよい。開閉扉３３の内側面におけるヒンジ３７側には、相対的に肉厚の隆起部３３ｂが形成される。隆起部３３ｂは弾性樹脂から成り、開閉扉３３が閉じた状態でランプ４７に当接する。一方、開閉扉３３の内側面におけるつまみねじ３９側には相対的に薄肉の薄肉部３３ｃが形成される。筐体１０において、薄肉部３３ｃが当接する部位は左側面１０ａから少し凹んで段部６１を形成している。段部６１には、つまみねじ３９が螺合する雌ねじ６３が形成される。
【００１７】
さらに開閉扉３３が１１０°まで開放されると、図４に示されるように、ランプ４７は前方、すなわち開口部３１側へ押し出される。これは、ランプ４７が後述する爪（図５、６等参照）の前進によりその背面が押されるためである。ランプ４７は押し出されることにより水平回動板３５の上面３５ｂの上にその一部が乗る。なお、ランプ４７が押し出され始める開閉扉３３の開度は１１０°でなくてもよく、ランプ４７が開閉扉３３に干渉することなく押し出される９０°よりも大きな角度であればよい。
【００１８】
端子部材４５の前面４５ａには前後方向に延びる雄端子７１が設けられる。ランプ４７はその背面に雌端子（図示せず）を有し、その雌端子は雄端子７１に電気的に接続される。また、ランプ４７が前方に向かって直線的に変位するように構成されている。ランプ４７を回転変位させて引き出す従来の構成の場合、開口部３１はランプ４７よりもかなり大きく形成しなければならないが、本実施形態ではランプ４７は直線的に変位するため、開口部３１の幅はランプ４７の幅より少し大きければよい。
【００１９】
図５、６は、それぞれ図３、４から筐体１０、支持板４３、端子部材４５、ランプ４７および軸流ファン５１を取り除いた図である。カム板９１は略長方形の薄板であり、水平回動板３５と平行で、かつその長手方向が左右方向、すなわち閉塞状態の開閉扉３３に略平行に延びる。カム板９１の後端部９１ａ、すなわち開口部３１の反対側には一対の爪８１、８１が折曲して形成される。また、カム板９１には、カム溝９３が形成される。なお、カム板９１は例えば筐体の底面４１（図１参照）に形成された２つの樹脂突起（図示せず）により摺動自在に支持され、前後方向に移動可能である。
【００２０】
カム溝９３は、開口部３１の面に平行に延びる溝部９３ａ（第１溝部）と、溝部９３ａにおけるヒンジ３７の軸に近い方の端部に連結し、ヒンジ３７の軸を中心とする円弧状の溝部９３ｂ（第２溝部）とを有する。一方、水平回動板３５の上面３５ｂには突起３５ｃが立設される。突起３５ｃは、開閉扉３３が開度９０°以下の状態で開閉するとき、開閉扉３３の開閉動作に応じて溝部９３ｂに沿って開閉扉３３と一体的に回動する。すなわち、この状態では突起３５ｃは溝部９３ｂに沿って動くだけでカム板９１は移動しない。
【００２１】
開閉扉３３が、その開度が９０°より大きい状態で開閉するとき、突起３５ｃは開閉扉３３の開閉動作に応じて溝部９３ａに沿って移動しつつ開閉扉３３と一体的に回動する。ここで、ヒンジ３７の軸から突起３５ｃまでの距離が一定であるため、この回動に伴い、溝部９３ａが突起３５ｃによって前後方向へ押され、カム板９１は前後方向へ変位する。また開閉扉３３の開閉動作には突起３５ｃと溝部９３ａの間の摩擦抵抗が働くため、開閉扉３３は開閉しにくく、その開閉動作には摩擦抵抗よりも大きな力が必要である。
【００２２】
図７、８は、それぞれ図３、４からランプ４７を取り除き、一対の雄端子７１、７１の周辺を拡大した図である。図７に示されるように、開閉扉の開度が０°から９０°近傍までの状態では、一対の爪８１、８１は端子部材４５に形成された一対の凹部８３、８３の内部まで後退した位置にある。図８に示されるように、開閉扉の開度が１１０°の状態、つまり９０°を超えた状態では、一対の爪８１、８１は、支持板４３に形成され、一対の凹部８３、８３に連続する一対のスライド穴８５、８５の内部における前端位置まで前進する。すなわち、一対の爪８１、８１は前後方向に沿って案内されて変位する。
【００２３】
ランプ４７を取り付ける動作について図３、４、７、８を用いて以下に説明する。まず図４に示されるように開閉扉３３が１１０°まで開放されていると仮定する。ランプ４７を取り付ける際、作業者は例えばランプ４７を支持板４３の上の適切な位置（図４に示される位置）に置き、開閉扉３３を閉める。開閉扉３３を開口部３１の面に対して１１０°から９０°まで回動させる閉塞動作では、一対の爪８１、８１は図８の位置から図７の位置まで後退する。続いて、開閉扉３３をその開度が９０°よりも小さくなるまで閉じるとき開閉扉３３の内側面に形成された隆起部３３ｂがランプ４７を押す。このとき開閉扉３３が動いても、突起３５ｃが溝部９３ｂに沿って変位するので、カム板９１（図５、６参照）は動かないが、ランプ４７は隆起部３３ｂに押されるので、図３に示される位置まで後退して端子部材４５に電気的に接続される。開閉扉３３が９０°以下の開放状態から完全に閉じるまでの間、一対の爪８１、８１は図７に示されるように後退した状態のままである。
【００２４】
以上のように本実施形態に係るランプ取り外し機構によれば、開閉扉３３を開放するだけの単純な操作でランプ４７を押し出すことができる。また水平回動板３５が、爪８１により押し出されたランプ４７を支持するため、ランプ４７が落下することが防止される。一方、溝部９３ｂは、突起３５ｃの回動軌跡に沿った円弧状を呈している。したがって、開閉扉３３の閉塞動作により開度が９０°以下になると、突起３５ｃの動きによってカム板９１が動くことはない。また、開閉扉３３が９０°よりも大きな角度で開放された状態では、上述のように開閉扉３３の開閉動作には突起３５ｃと溝部９３ａの間の摩擦抵抗が働くため、開閉扉３３は閉塞しにくく、作業者が開閉扉３３と筐体１０の間に手を挟むことはない。
【００２５】
また、手の挟み込みを防止する効果は、例えばカム板が、図５におけるカム板９１のうち、溝部９３ａの左端部よりも左側の部分がない形状を呈する場合、すなわち溝部９３ｂを有さない場合でも生じる。しかし溝部９３ｂがさらに形成されることにより、突起３５ｃの動作がスムーズになる。さらに、ランプ４７を取り付ける際、作業者はランプ４７を雄端子７１に電気的に接続させなくても、ランプ４７を適切な位置に置き、開閉扉３３を閉めるだけで、ランプ４７を雄端子７１に電気的に接続させることが可能である。
【００２６】
図９は第２の実施形態のランプ取り外し機構の概要を示している。第２の水平回動板１０１、第２の支持板１０３および第２のカム板１０５がランプ４７の上方に、第１の実施形態における水平回動板３５（第１の水平回動板）、支持板４３（第１の支持板）およびカム板９１（第１のカム板）と略面対称にさらに設けられ、爪がランプ４７の背面における上下部分を押すことを除き、図９のランプ取り外し機構の構成は第１の実施形態と共通である。
【００２７】
すなわち、第１および第２の水平回動板３５、１０１が、開閉扉３３における上下方向に離間した２つの位置から略垂直方向に延びる。第１および第２の水平回動板３５、１０１には、第１および第２の突起３５ｃ、１０１ｃがそれぞれ立設される。また、第１および第２のカム板９１、１０３は、第１および第２の水平回動板３５、１０１と平行に設けられ、開口部３１の反対側にそれぞれ第１および第２の爪８１、１０４を有する。また、第１および第２の突起３５ｃ、１０１ｃは、開閉扉の開放動作に応じて開閉扉と一体的に回動することにより、第１および第２の爪８１、１０４が前進してランプ４７の背面を押し、ランプ４７が開口部側へ押し出される。
【００２８】
このように第２の実施形態では、第１および第２の爪８１、１０４が、ランプ４７の背面における下部および上部を押すので、ランプを安定して押し出すことが可能となる。
【００２９】
以上が本発明の実施形態の説明である。なお、第１および第２の実施形態では、爪が移動し始める開閉扉の所定の角度を９０°としたが、本発明はこれに限定されない。また、図５、６ではカム溝９３は貫通穴として示されるが、貫通していない凹部（いわゆる溝）であってもよい。また、ランプを取り付ける際、作業者がランプを端子に電気的に接続させてから開閉扉を閉めてもよい。この場合、作業者はランプ４７が雄端子７１に接続されたことを目視で確認できる。例えば図４に示されるように開閉扉３３が１１０°まで開放されている場合、作業者がランプ４７を一対の雄端子７１、７１に接続させようとすると、一対の爪８１、８１が後退し、開閉扉が閉まり始めるが、上記の通り開閉扉の開度が９０°以下になるとカム板９１（図５、６参照）が動かないため、カム板９１によって開閉扉が回動することがなく、作業者が開閉扉と筐体の間に手を挟むことはない。
【符号の説明】
【００３０】
１  光源装置
１０  筐体
３１  開口部
３３  開閉扉
３５  （第１の）水平回動板
３５ｃ  （第１の）突起
３７  ヒンジ
４５  端子部材
４７  ランプ
８１  （第１の）爪
９１  （第１の）カム板
９３  （第１の）カム溝
９３ａ、９３ｂ  溝部
１０１  第２の水平回動板
１０１ｃ  第２の突起
１０３  第２のカム板
１０４  第２の爪
【図１】
2015196051.tif 000003
【図２】
2015196051.tif 000004
【図３】
2015196051.tif 000005
【図４】
2015196051.tif 000006
【図５】
2015196051.tif 000007
【図６】
2015196051.tif 000008
【図７】
2015196051.tif 000009
【図８】
2015196051.tif 000010
【図９】
2015196051.tif 000011